(57)【要約】      （修正有）【課題】仕掛けが障害物に引っ掛かり、釣り糸を切断して回収しようとするとき、フレームに備えられたスナップボタンを押すことにより、簡便に釣り糸切断及び釣り糸損失の最小化が実現できるようにした釣り用リールを提供する。【解決手段】スプールシャフトＳ１に備えられたロックギアＬ２とスナップボタンＬ１の押圧及び解除に応じてロックギアＬ２のロック溝ＬＧに対して結合・分離されるロック突起Ｌ３からなる。スナップボタンＬ１を押圧してロック突起Ｌ３がロック溝ＬＧに結合された状態でスプールをロックし、釣り竿を引くとそのまま釣糸を切断することが出来る。【選択図】図３
2016082973.tif 000002
【特許請求の範囲】
【請求項１】
パーム（ｐａｌｍ）サイド第１パネルと、ギア（ｇｅａｒ）サイド第２パネルと、前記第１パネルと前記第２パネルとの間に配列されたスプール配置空間部と、前記空間部を保持し、前記第１パネルと前記第２パネルとを連結し、釣り竿装着部材が結合される第１リブを有する連結部とを含むフレーム；
前記空間部に配置され、前記第１パネル及び前記第２パネルに軸設されたシャフトを有するスプール；
前記シャフトに連結されたハンドル；並びに
前記スプールのシャフトに連結されたロックギアと、前記第１パネルまたは前記第２パネルに備えられたスナップボタンと、該スナップボタンの常時突出用ばねと、前記スナップボタンに連結され、押圧すると前記ロックギアの歯同士の間のロック溝に嵌合されるロック突起とを含むロック部；を含んでなる、釣り用リール。
【請求項２】
前記ロック部のロックギアの歯同士の間のロック溝は四角形または台形の断面形状を有し、前記ロック突起は四角形の断面形状を有することを特徴とする、請求項１に記載の釣り用リール。
【請求項３】
前記ロック突起の下端部は進入誘導狭小部を有し、
前記ロック溝と前記ロック突起との公差は、１／１０００〜５００／１０００ｍｍであることを特徴とする、請求項２に記載の釣り用リール。
【請求項４】
前記フレームは、前記第１及び第２パネルの内周縁の内面取り部形成用旋盤加工のために前記第１及び第２パネルそれぞれと前記第１リブとの間にリセスを形成するように、前記第１リブがボディと該ボディの両側の折曲端部を有することを特徴とする、請求項１ないし請求項３のいずれか１項に記載の釣りリール。
【発明の詳細な説明】
【技術分野】
【０００１】
本発明は、スプールロック用スナップボタンを備えた釣り用リールに係る。釣りの際に仕掛けが水面の底などに引っ掛かったり各種障害物に絡んだりした場合、仕掛けを放棄し、釣り糸を切って回収しようとするとき、ドラッグを最大限に締め付けてスプールが回転しないようにした状態でも、釣り糸の引張力が最大のドラッグパワーよりも大きい場合には釣り糸が切れることなくリールに無理が生じることがある。本発明はこれを解決するためのものであり、フレームに備えられたスナップボタンを簡単に押すことにより、停止突起が、スプールシャフトと連結されたロックギアの四角形または台形の停止溝に挿入され、この状態で釣り竿を引くと、障害物に仕掛けが引っ掛かっている釣り糸がピンと張りつめた緊張状態を保ち、スプールは回転しようとするので、所定の角度回転したロックギアの停止溝に停止突起が締まり嵌めされた状態が維持され、スナップボタンの押圧力を緩めたり解除したりしても、停止突起が停止溝から分離されなくなり、簡便に釣り糸切れ及び釣り糸損失の最小化及び釣り用リールの内部部品の損傷を防止することができるようにした釣り用リールに関する。
【背景技術】
【０００２】
ベイト（ｂａｉｔ）リールや比較的大きな魚釣り用トローリング（ｔｒｏｌｌｉｎｇ）（またはジギング（ｊｉｇｇｉｎｇ））リールは、様々なスプールロック構造または回転抑制構造を採用している。
たとえば、特許文献１（登録日：２００１年７月９日）の「釣り用ベールアーム移動方式のレバーブレーキ兼用スピニングリール」がある。この特許文献１では、ベールアーム（ＢＡＩＬ  ＡＲＭ）の往復運動及びブレーキレバー（Ｌ．Ｂ）の着脱ができるように構成されている。
【０００３】
具体的には、釣り用スピニングリールにおいて、スプールが往復運動せずに、ベールアームが往復運動して、停止しているスプールの巻き部に釣り糸を均一にする構造であり、この構造で前方ドラッグが不要になり、リールボディの内部にドラッグを装置することができ、メインシャフトが前、後進しないため、そのメインシャフトの後方（ボディの内部）にディスクドラムを装着し、そのドラムをライニングリングが摩擦しながらスプールの回転を制御することができるようにし、そのライニングはライニングスライドに締結されるため、そのライニングスライドを前、後進させると、ドラッグの締め付け及びゆるみ調整だけでなく、スプール回転ブレーキまで可能となる。そのライニングスライド作動は、リールボディの後方ではドラッグレバーを上方に押し上げたり下方に引き下げたりして操縦することができ、リールの前方ではブレーキレバー（ＬＢ）を設置し、そのＬＢを人差し指で引き寄せてドラッグゆるめから停止までを操縦することができ、その両方のレバーがボディの前、後方で独立にライニングスライドを作動することができるため、前方のＬＢなしでもリールの使用が可能となり、ＬＢを使用者が必要に応じて着脱することができるようにしてなる、ブレーキレバー兼用ベールアーム移動方式のスピニングリールが提示されている。
しかし、この特許文献１に記載の技術は、仕掛けが回収不可能に引っ掛かった状態で釣り糸を切断し、この過程でリール損傷及び使用者の傷害を防止することができるようにするスプールロック構造とは無関係な技術である。
【０００４】
また、特許文献２（公開日：２００２年２月２８日）の［両ベアリングリールのスプールロック機構］がある。この特許文献２に記載の技術は、両ベアリングリールのリールボディに両方向に回転可能に取り付けられ、両端に一対のフランジ部を備えたスプールの釣り糸放出方向への回転をロックする両ベアリングリールのスプールロック機構に関するものであり、具体的には、両ベアリングリールのスプールロック機構は、両ベアリングリールのリールボディに両方向に回転可能に取り付けられ、両端に一対のフランジ部を有するスプールの少なくとも釣り糸放出方向への回転をロックする機構であって、ロック部と移動機構とロック溝部を備えており、このロック部はリールボディに進出位置と後退位置へと移動可能に取り付けられたものであり、移動機構はロック部を進出位置と後退位置へ移動させる機構であり、ロック溝部は一対のフランジ部のうちいずれか一方の外側面に設けられ、進出位置に進出したロック部の先端が結合できる技術を提示している。
しかし、この特許文献２のロック機構は、その構造が複雑であり、複数の部品から構成されているので、必然的に存在する部品間の公差まで考慮すれば、障害物に引っ掛かった仕掛けを放棄し、釣り糸を切って回収する場合、ロック機構及びリールに必然的に大きな無理がかかるので、耐久性の面で現実的な該当技術を提示したものとは認められない。
【０００５】
次に、特許文献３（登録日：２００３年２月１７日）の「スピニングリールのローターロック装置」がある。この特許文献３は、スピニングリールのボディとボディフランジカバーが結合されるフランジ部にゴムパッキンを形成してロックピンの摩擦力を増加させることにより、ベール開放の後に餌を投げるときにローターの回転によるベールの自動復帰を防止して釣り糸の切れや錘または餌が飛んでいく問題を防止することができるようにしたスピニングリールのローターロック装置を提示している。
しかし、この特許文献３の技術も、障害物に引っ掛かった仕掛けを放棄し、釣り糸を切って回収するためのスプールロック構造に採用するには無理がある。
【０００６】
さらに、特許文献４（登録日：２００６年１１月２７日）の「両軸リールのスプールロック装置」がある。この特許文献４は、魚の捕獲時にスプールの制動操作を自由に行うことができるようにした両軸リールのスプールロック装置に関するものであり、具体的には、両側に２つの側板が平行に配置されて釣り竿に装着され、内部にはスプール軸によってスプールが結合されたリールボディと、このリールボディの一側に結合されるカバーとを含む釣り用両軸リールにおいて、前記スプール軸の端部に結合され、外周面には一側の回転方向に沿って所定の間隔で多数の段部が形成されたラチェット；このラチェットと所定の距離を置いて同一線上に位置するように前記カバーの内部に回転可能に結合され、一端はカバーの開口部を介して外部へ所定量突出する制動レバー；この制動レバーに一端が連結され、他端はカバーに固定されて制動レバーの回転動作を付勢するトーションばね；前記ラチェットと前記制動レバーとの間に介在され、前記制動レバーの操作により回転してラチェットに噛み合ってラチェットの逆回転を防止するストッパー；及びこのストッパーに一端が連結され、他端はカバーに固定されてストッパーを付勢する引張ばねを含む、両軸リールのスプールロック装置に関するものである。
しかし、この特許文献４の核心スプールロック構造も、前述した特許文献２のように複雑であって、瞬間的・継続的に大きな力が加わる非常時の釣り糸切断用途に採用するには耐久性の面で完成度が低い技術に該当する。
【先行技術文献】
【特許文献】
【０００７】
【特許文献１】韓国実用新案登録第２０−０２３９０７０号公報
【特許文献２】韓国特許公開第１０−２００２−００１５６４３号公報
【特許文献３】韓国実用新案登録第２０−０３０５９３６号公報
【特許文献４】韓国実用新案登録第２０−０４３２３９２号公報
【発明の概要】
【発明が解決しようとする課題】
【０００８】
そこで、本発明は、フレームの第１または第２パネルに備えられ、ばねによって付勢されるスナップボタンを瞬間的に押すと、ロック突起が、スプールシャフトに軸設されたロックギアのロック溝に結合される方式で、簡単かつ容易にスプールロック構造が実現され、
スナップボタンをｏｎ／ｏｆｆ操作してロック／アンロック操作をすることのように煩雑なものでもなく、スプールまたはスナップボタンを常時的に押していなければならない不便さが発生することもない、いわゆる「ワンタッチ」（ｓｎａｐまたはｑｕｉｃｋ）操作方式のスナップボタンを活用したスプールロック構造を持つ釣り用リールを提供することを目的とする。
釣りの際に、仕掛けが水面の底に引っ掛かったり障害物に絡んだりしたとき、仕掛けの損失を甘受しても、釣り糸を切って一種の経済用語で損切りをする必要がある場合、
ドラッグを最大限に締め付けて最大（ｍａｘｉｍｕｍ）ドラッグパワー状態で釣り糸を引っ張って釣り糸を切るか、或いは釣り糸を単純に引っ張って切る方式を採用することができるが、
前者は、最大ドラッグパワーが釣り糸の引張力よりも弱い場合には、釣り糸は切断されないが、リールには無理がかかって耐久性の弱化や故障の原因になることがあり、
後者は、手でスプールを固定させて釣り糸を切ったり釣り糸を強制的に引っ張って切ったりする場合、手が怪我する事態が発生することがあるが、
本発明は、これらの問題を解決する釣り用リールを提供することを目的とする。
【０００９】
また、本発明は、ロック部のロックギアの歯同士の間に設けられるロック溝の断面形状が四角形または台形の形状であり、ロック突起の断面形状は四角形であって、
最初にスナップボタンを押してロック突起とロック溝とを結合した状態で釣り糸を切るために釣り竿を引くと、釣り糸の張力がスプールを回転させようとすることにより、ロック突起は、ロック溝に拘束されて（スプールの微細な回転に応じてロックギアも回転するので、ロック溝の内壁はロック突起に対して緊密に接触・加圧され、ロック突起がばねの弾性にも拘わらず後退しなくなる）スナップボタンの押圧力を緩めたり解除したりしてもロック状態が保たれるので、釣り糸の切れ及び損失の最小化にのみ集中することができ、
ひいては、釣り糸の切断後には釣り糸の張力が解消されるので、スプールに加えられていた回転力が解消され、これによりロックギアも自由状態になってロック突起はばねの弾性によってロック溝から分離され、特別な操作なしでスナップボタンはｏｆｆ状態（すなわち、ロック解除状態）に上昇するようにした、スプールロック用スナップボタンを備えたリールを提供することを目的とする。
【００１０】
なお、本発明は、また、このロック部の特徴に加えて、 切削工具が回転・移動し且つ相対的に高価な加工費がかかるフライス加工（ｍｉｌｌｉｎｇ）部位を減らす代わりに、工作物が回転し、切削工具が移動し且つ相対的に加工費が安価である旋盤加工部位を最大化することにより、釣り用リールフレームの加工性及び生産性を高めるものの、加工コストは最小化し、使用者の手や身体が触れるリールフレームの外観をより容易に面取り加工、特に内面取り加工して曲線化することができるようにした、フレームを有する釣り用リールを提供することを目的とする。
【００１１】
また、その連続線上において、本発明は、パーム（ｐａｌｍ）サイド第１パネルとギア（ｇｅａｒ）サイド第２パネルとの間にスプール配置空間部を保持する連結部として、釣り竿装着部材結合用の第１リブや補強用の第２または第３リブが備えられる場合、アルミニウムなどの金属塊を回転させながら切削工具を移動させて身体との接触部位を曲線旋盤加工するにあたり、主加工対象である第１及び第２パネルの加工角部、すなわち面取り部のうち、外面取り部に比べて相対的に加工が難しく且つ空間部と接する内面取り部の旋盤加工のために、
第１〜第３リブを、ボディ及び該ボディの両端部の第１及び第２パネル結合用折曲端部を有する構造で構成し、
この折曲端部と第１及び第２パネルとの間にリセスが形成されるようにし、このリセスにより、旋盤加工用切削工具が、回転する金属塊の第１及び第２パネルの内面取り部を曲線加工するように接近することができて、旋盤加工の面取り部位を最大化した釣り用リールフレームを提供することを目的とする。
【００１２】
さらに、本発明は、側面観察の際に、第１パネルの面積を第２パネルのそれより小さくすることにより、使用者が容易にリールフレームを掴んで様々な作業を行うことができるようにした、フレームを有する釣り用リールを提供することを目的とする。
【課題を解決するための手段】
【００１３】
上記目的を達成するために、本発明に係るスプールロック用スナップボタンを備えた釣り用リールは、パーム（ｐａｌｍ）サイド第１パネルと、ギア（ｇｅａｒ）サイド第２パネルと、前記第１パネルと前記第２パネルとの間に配列されたスプール配置空間部と、前記空間部を保持し、前記第１パネルと前記第２パネルとを連結し、釣り竿装着部材が結合される第１リブを有する連結部とを含むフレーム；
前記空間部に配置され、前記第１パネル及び前記第２パネルに軸設されたシャフトを有するスプール；
前記シャフトに連結されたハンドル；並びに
前記スプールのシャフトに連結されたロックギアと、前記第１パネルまたは前記第２パネルに備えられたスナップボタンと、該スナップボタンの常時突出用ばねと、前記スナップボタンに連結され、押圧すると前記ロックギアの歯同士の間のロック溝に嵌合されるロック突起とを含むロック部；を含んでなる。
【００１４】
また、本発明に係るスプールロック用スナップボタンを備えた釣り用リールにおいて、
前記ロック部のロックギアの歯同士の間のロック溝は四角形または台形の断面形状を有し、
前記ロック突起は四角形の断面形状を有し、
前記ロック突起の下端部は進入誘導狭小部を有し、
前記ロック溝と前記ロック突起との公差は１／１０００〜５００／１０００ｍｍであることが好ましい。
【００１５】
また、本発明に係る釣り用リールは、
パーム（ｐａｌｍ）サイド第１パネル；
ギア（ｇｅａｒ）サイド第２パネル；
前記第１パネルと前記第２パネルとの間に配列されたスプール配置空間部；及び
前記空間部を保持し、前記第１パネルと前記第２パネルとを連結し、釣り竿装着部材が結合される第１リブを有する連結部；を含んでなるフレームを有するが、
前記第１及び第２パネルの内周縁の内面取り部形成用旋盤加工のために前記第１及び第２パネルそれぞれと前記第１リブとの間にリセスを形成するように、前記第１リブは、ボディ及び該ボディの両側の折曲端部を有することを特徴とする。
【００１６】
また、本発明に係る加工性が向上した釣り用リールにおいて、前記フレームに関連して、前記連結部は、前記第１リブから離隔し、ボディ及び該ボディの両端部のリセス形成用折曲端部を有する補強用の第２リブ、または第２リブ及び第３リブをさらに含み、側面観察の際に、第１パネルは第２パネルよりも面積が小さく、前記第１リブには、釣り竿装着部材の収容される陥没部が形成されていることが好ましい。
【発明の効果】
【００１７】
本発明に係るスプールロック用スナップボタンを備えた釣り用リールは、フレームの第１または第２パネルに備えられ、ばねによって付勢されるスナップボタンを瞬間的に押すと、ロック突起が、スプールシャフトに軸設されたロックギアのロック溝に結合される方式で、簡単かつ容易にスプールロック構造が実現されるので、いわゆる「ワンタッチ」（ｓｎａｐまたはｑｕｉｃｋ）操作方式のスナップボタンを活用したスプールロック構造を持つ釣り用リールを提供する。
釣りをするとき、仕掛けが水面の底に引っ掛かったり障害物に絡んだりした場合、仕掛けの損失を甘受しても、釣り糸を切って一種の経済用語で損切りをする必要があるとき、
もしドラッグを最大限に締め付けて最大（ｍａｘｉｍｕｍ）ドラッグパワー状態で釣り糸を引っ張って釣り糸を切るか、或いは釣り糸を単純に引っ張って切る方式を採用することができるが、前者は、最大ドラッグパワーが釣り糸の引張力よりも弱い場合には、釣り糸は切断されないながらリールには無理がかかって耐久性の弱化や故障の原因になることがあり、後者は、手でスプールを固定させて釣り糸を切ったり釣り糸を強制的に引っ張って切ったりする場合、手が怪我する事態が発生することがあったが、本発明の釣り用リールは、この問題を解決できるものである。
本発明の釣り用リールは、スナップボタンをｏｎ／ｏｆｆ操作してロック／アンロック操作をすることのように煩雑なものでもなく、スプールまたはスナップボタンを常時的に押していなければならない不便さが発生することもないようにすることができる。
【００１８】
また、本発明に係るスプールロック用スナップボタンを備えた釣り用リールは、ロック部のロックギアの歯同士の間に設けられるロック溝の断面形状が四角形または台形の形状であり、ロック突起の断面形状は四角形であって、最初にスナップボタンを押してロック突起とロック溝とを結合した状態で釣り糸を切るために釣り竿を引くと、釣り糸の張力がスプールを回転させようとすることにより、ロック突起はロック溝に拘束されて（スプールの微細な回転に応じてロックギアも回転するので、ロック溝の内壁はロック突起に対して緊密に接触・加圧され、ロック突起がばねの弾性にも拘わらず後退しなくなる）スナップボタンの押圧力を緩めたり解除したりしてもロック状態が維持されるので、釣り糸の切断及び損失の最小化にのみ集中することができ、さらには、釣り糸の切断後には釣り糸の張力が解消されるので、スプールに加えられていた回転力が解消され、これによりロックギアも自由状態になってロック突起はばねの弾性によってロック溝から分離され、特別な操作なしでスナップボタンはｏｆｆ状態（すなわち、ロック解除状態）に上昇するようにする。
【００１９】
なお、本発明に係る加工性向上用フレームに対する追加特徴を有する釣り用リールは、パーム（ｐａｌｍ）サイド第１パネルとギア（ｇｅａｒ）サイド第２パネルとの間にスプール配置空間部を保持する連結部として、釣り竿装着部材結合用の第１リブや補強用の第２または第３リブが備えられる場合、
アルミニウムなどの金属塊を回転させながら切削工具を移動させて身体との接触部位を曲線旋盤加工するにあたり、
主加工対象である第１及び第２パネルの加工角部、すなわち面取り部のうち、外面取り部に比べて相対的に加工が難しく且つ空間部と接する内面取り部の旋盤加工のために、第１〜第３リブが、ボディ及び該ボディの両端部の第１及び第２パネル結合用折曲端部を有する構造で構成し、この折曲端部と第１及び第２パネルとの間にリセスが形成されるようにされているので、
このリセスにより、旋盤加工用切削工具が、回転する金属塊の第１及び第２パネルの内面取り部を曲線加工するように接近することができて旋盤加工の面取り部位を最大化することができる。
【００２０】
また、側面観察の際に、第１パネルの面積を第２パネルの面積より小さくすることにより、使用者が容易にリールフレームを掴んで様々な操作を行うことができるように把持特性を大幅に向上させた。
すなわち、本発明により、切削工具が回転・移動し且つ相対的に高価な加工費がかかるフライス加工（ｍｉｌｌｉｎｇ）部位を減らす代わりに、工作物が回転し、切削工具が移動し且つ相対的に加工費が安価である旋盤加工部位を最大化することにより、釣り用リールフレームの加工性及び生産性を高めるものの、加工コストは最小化して、使用者の手や身体が触れるリールフレームの外観をより容易に面取り加工、特に内面取り加工して曲線化することができる。
【図面の簡単な説明】
【００２１】
【図１】本発明に係る釣り用リールの斜視図である。
【図２】本発明に係る釣り用リールの斜視図である。
【図３】それぞれ本発明に係る釣り用リールの要部図及び比較図である。
【図４】それぞれ本発明に係る釣り用リールの要部図及び比較図である。
【図５】本発明に係る釣り用リールフレームを示す図である。
【図６】本発明に係る釣り用リールフレームを示す図である。
【図７】本発明に係る釣り用リールフレームを示す図である。
【図８】本発明に係る釣り用リールフレームを示す図である。
【発明を実施するための形態】
【００２２】
以下、添付図面を参照して本発明を詳細に説明する。
本発明は多様な変更を加えることができ、様々な形態を持つことができるもので、その具現例（態様、ａｓｐｅｃｔ）（または実施例）をここに詳細に説明する。しかし、これは本発明を特定の開示形態に限定しようとするものではなく、本発明の思想及び技術範囲に含まれるすべての変更、均等物または代替物を含むものと理解されなければならない。
【００２３】
各図面において、同一の参照符号、特に十の桁及び一の桁、または十の桁、一の桁及びアルファベットが同じ参照符号は同一または類似の機能を持つ部材を示し、特に言及がない場合、図面の各参照符号が指す部材はこのような基準に準ずる部材と把握すればよい。
また、各図面において、構成要素は、理解の便宜などのために、大きさや厚さを誇張して大きく（または厚く）或いは小さく（または薄く）表現しているか単純化して表現しているが、これによって本発明の保護範囲が制限されるものと解釈されてはならない。
【００２４】
本明細書で使用する用語は、特定の具現例（または実施例）を説明するために使用されたもので、本発明を限定しようとするものではない。単数の表現は、文脈上特に明記しない限り、複数の表現を含む。本出願において、「含む」または「からなる」などの用語は明細書上に記載した特徴、数字、段階、動作、構成要素、部分品またはこれらの組み合わせが存在することを指定しようとするものであり、一つまたはそれ以上の他の特徴、数字、段階、動作、構成要素、部分品またはこれらの組み合わせなどの存在または付加の可能性を予め排除しないものと理解されなければならない。
【００２５】
特に他に定義しない限り、技術用語や科学用語を含み、ここで使われるすべての用語は本発明の属する技術分野における通常の知識を有する者によって一般的に理解されるものと同じ意味を持っている。一般的に使われる辞典に定義されている用語は、関連技術の文脈上で持つ意味と一致する意味を持つものと解釈されなければならず、本明細書で明らかに定義しない限り、理想的な意味または過度に形式的な意味で解釈されない。
本明細書において、公知の機能及び構成についての具体的な説明が本発明の要旨を不明にするおそれがあると判断された場合、それに関する説明は省略することができる。
本明細書に開示された「第１」、「第２」、「第３」などは互いに異なる構成要素を区分するために指すものに過ぎず、製造順に限定されず、発明の詳細な説明及び請求の範囲においてその名称が一致しないこともある。
【００２６】
本発明に係る加工性が向上した釣り用リールＲフレームＦを説明するにあたり、便宜上、厳しくない概略の方向基準を図１、図２及び図５乃至図８を参照して特定すれば、図示のままの状態で、パームサイド第１パネル１０及びギアサイド第２パネル２０側を外側と定め、スプールＳ配置空間部３０側を内側と定め、他の図面に関連した発明の詳細な説明及び請求の範囲においても、特に言及がない限り、この基準に基づいて方向を特定して記述する。
【００２７】
また、図３及び図４を主に参照して、ロック部Ｌに関連した本発明の第１核心を説明する場合、図示のままの状態でスナップボタンＬ１の動作を基準に上部及び下部を定める。
まず、図１、図２及び図５乃至図８に示すように、本発明に係る釣り用リールＲは、フレームＦ、スプールＳ、及びスプール回転用ハンドルＨから構成される（その他にドラッグパワー調節機構など、通常の釣り用リール関連部品に関する説明は省略する。）。また、本発明の釣りリールＲは、リールを釣り竿に固定するための足部、すなわち釣り竿装着部材ＭがフレームＦの連結部４０の第１リブ４１にリベッティングなどの方式で結合される。
前記フレームＦは、後述するように、パームサイド第１パネル１０、ギアサイド第２パネル２０、第１パネルと第２パネルとの間に配列されたスプール配置空間部３０、及び前記空間部を保持し、第１パネルと第２パネルとを連結し、釣り竿装着部材Ｍが結合される第１〜第３リブ４１、４３、４５を含む連結部４０を有する。
【００２８】
本発明の核心の一つは、ロック部Ｌに関するものである。釣り針などの仕掛けが水草や水中の岩などの障害物に引っ掛かったとき、釣り用竿を引いて強制脱出を試みるか、或いは仕掛けを一種の損切りをするように放棄し、釣り糸を切って最大限釣り糸を回収しようとする場合に使用されるスナップボタンＬ１を含むロック部Ｌが、パームサイド第１パネル１０、特に内面取り部１１と外面取り部１３との間に配列されている（必要に応じてギアサイド第２パネル２０に配列されてもよい）。
【００２９】
従来、釣りの際に、 仕掛けが水面の底に引っ掛かったり障害物に絡んだりしたとき、仕掛けの損失を甘受しても釣り糸を切るとの、一種の経済用語でいう損切りをする必要がある場合、
ドラッグを最大限に締め付けて最大（ｍａｘｉｍｕｍ）ドラッグパワー状態で釣り糸を引っ張って釣り糸を切るか、或いは釣り糸を単純に引っ張って切る方式を採用することができるが、
前者は、最大ドラッグパワーが釣り糸の引張力よりも弱い場合には、釣り糸は切断されないがリールには無理がかかって耐久性の弱化や故障の原因になることがあり、
後者は、手でスプールを固定させて釣り糸を切ったり釣り糸を強制的に引っ張って切ったりする場合、手が怪我することがあるとの問題点があった。
また、従来のスナップボタンのように構造が複雑で、操作の際にｏｎ／ｏｆｆのためにボタンを繰返し押圧してロック／アンロック操作をする場合には、煩雑であるうえ、釣り糸の切断に集中することが難しかった。さらに、スプールまたはスナップボタンを常時的に押していなければならない方式を採用する場合にも、不便で煩雑であった。
そこで、いわゆる「ワンタッチ」（ｓｎａｐまたはｑｕｉｃｋ）操作方式のスナップボタンを活用したスプールロック構造を持つ釣り用リールを提案するに至った。
【００３０】
本発明に係る釣り用リールにおけるロック部Ｌは、図１乃至図４に示すように、フレームＦの空間部３０に配置され第１及び第２パネル１０、２０に軸設されたスプールＳのシャフトＳ１（このスプールのシャフトは様々な方式でハンドルＨに連結される）に備えられた（特に、第１パネル１０側に配列された）ロックギアＬ２と、スナップボタンＬ１の押圧及び解除（一種のｏｎ／ｏｆｆ）に応じてロックギアのロック溝ＬＧに対して結合／分離されるロック突起Ｌ３とを含む。
【００３１】
特に、前記ロックギアＬ３の歯同士の間のロック溝は四角形または台形（図３の右側の一点鎖線円内の変形例を参照）の断面形状を有するロック溝ＬＧ、Ｌｇであり、
前記ロック突起Ｌ３は四角形の断面形状を有するため、
釣りの際に水中の障害物に引っ掛かった仕掛けを放棄し釣り糸を切断するために、スナップボタンＬ１を押圧して（ｏｎ）ロック突起Ｌ３がロック溝ＬＧ、Ｌｇに結合された状態にしてスプールＳをロックし、釣り竿を引くと、
釣り糸の張力がスプールの回転を誘導しその結果スプールシャフトＳ１に連結されたロックギアＬ２も回転しようとするので、
ロック溝の側壁（図３では左側壁）が、収容されたロック突起Ｌ３を押圧するので、
ロック突起とロック溝との結合・ロック状態が維持され、ひいてはスナップボタンＬ１の押圧状態を解除しても（手を放しても）スナップボタンを上昇させるばねＬｓの弾性にも拘わらず、スナップボタン及びロック突起は上昇・アンロック（ｕｎｌｏｃｋｉｎｇ）されなくなる。
フレームＦ、特に第１パネル１０の設置ホールに、ロック突起Ｌ３に外嵌されたばねＬｓを介在した状態で配列されたロック突起一体型スナップボタンＬ１は、ロック突起の外周面の環状溝に結合されるスナップリングタイプのストッパーＬｒによって離脱が防止される。
一方、図３の上部左側の一点鎖線円内に示すように、ロック部ＬのスナップボタンＬ１にはパッキンリングｐが備えられており、異物、湿気または水気がパーム（ｐａｌｍ）サイド第１パネル１０に浸透することを防止するようになっている。
【００３２】
その後、釣り糸の切断成功などの場合、釣り糸の張力が解消されると、スプールＳとロックギアＬ２に加えられていた回転力が解消されるので、ロック突起Ｌ３はスプリングＬｓの弾性によってロック溝ＬＧ、Ｌｇから分離・上昇し、スプールのロック状態は解除される。
【００３３】
前記ロック溝ＬＧ、Ｌｇの入口は、ロック突起の進入を誘導するために相対的に直線を維持する他の部位より広い拡張部Ｌｂを構成し、これと共にロック突起Ｌ３の下端部は進入誘導狭小部Ｌｎを有する。
また、前記ロック溝ＬＧ、Ｌｇとロック突起Ｌ３は、１／１０００〜５００／１０００ｍｍの公差、より好ましくは１０／１０００〜３００／１０００ｍｍの公差を有することが好ましい。このような公差設計導入により、釣り糸切断のための釣り糸引き操作の際に、スナップボタンを押圧していなくても、ロック溝に結合されたロック突起の分離防止機能が実現できる。
【００３４】
もしロック溝ＬＧ、Ｌｇの四角形または台形の断面形状、ロック突起Ｌ３の四角形の断面形状、及びロック溝とロック突起の１／１０００〜５００／１０００ｍｍの公差ではない場合、
すなわち、図４に示すように、ロックギアｌ２のロック溝ｌｇが逆台形を有する形態であって、上広下挟の形状であり、ロック突起に比べてロック溝がさらに大きくて公差が０．５ｍｍを超える場合には、釣り糸の切断のために引張状態でスナップボタンの押圧状態を解除すると、ばね弾性によってロック突起Ｌ３がロック溝ｌｇから外されて上昇・分離する。
【００３５】
本発明において、ロック突起Ｌ３の狭小部Ｌｎは、下端部の形状によってロック溝への結合容易性を保障するという限度で、様々な形状及び大きさを有する。また、結合容易性及び無方向性を考慮して、ロック突起及びロック溝の平断面形状は円形であることが好ましい。
これと同一線上で、ロック溝の拡張部Ｌｂは、ロック突起の結合容易性を保障する入口部位の形状を意味する。
また、ロック突起Ｌ３の断面、特に縦断面形状が四角形であるというのは、狭小部Ｌｎを除いたボディ部分の形状を意味し、
ロック溝ＬＧの断面、特に縦断面形状が四角形であるというのは、拡張部Ｌｂを除いた下部の主な部位の形状を意味し、
ロック溝Ｌｇの断面、特に縦断面形状が台形（図２［Ｂ］の逆台形と対比して正台形）であるというのは、拡張部Ｌｂを除いた下部の主な部位の形状を意味し、
この正台形のロック溝Ｌｇとロック突起Ｌ３との公差が１／１０００〜５００／１０００ｍｍまたは１０／１０００〜３００／１０００ｍｍであるというのは、拡張部Ｌｂの直下部の最も狭小な台形のロック溝Ｌｇ部位とロック突起Ｌ３のボディ（狭小部Ｌｎの上部）との公差を意味する。
同様に、ロック溝ＬＧとロック突起との公差も拡張部Ｌｂの下部直線部位とロック突起のボディとの公差を意味する。
【００３６】
次に、本発明の別の核心をなす、加工性が向上したリールＲのフレームＦは、第１パネル１０、第２パネル２０、スプール配置空間部３０、及び空間部を保持した状態で両方のパネルをつなぐ第１リブ４１を有する連結部４０を含んでなる。
【００３７】
本明細書及び請求の範囲において、本フレームＦは、ベイト（ｂａｉｔ）リールなどに比べて相対的に大きな魚釣り用トローリング（ｔｒｏｌｌｉｎｇ）（またはジギング（ｊｉｇｇｉｎｇ））リールの改善された加工技法及びこのためのフレームの構造を中心に説明するが、必要に応じては、ダイカストフレームの後加工技法としても活用できるものであって、切削加工の原材料によって本発明が制限されてはならない。
また、「ギア（ｇｅａｒ）サイド」第２パネル２０とは、ハンドルＨとスプールＳとを連結する様々なロックギア部品が内蔵される部位であるため、当該分野で一般的に指す用語である。
【００３８】
「パーム（ｐａｌｍ）サイド」第１パネル１０とは、釣り活動の際にリールＲの第１パネル１０を主に手で掴んで（手のひら接触部位）釣り竿と一緒に操作するので、当該分野で一般的に指す用語である。
また、使用者が容易にリールフレームを掴んで釣り活動などの様々な作業を行う場合、より操作性、グリップ感、把持容易性などの特性を確保及び向上させるために、側面観察の際に、第１パネル１０は第２パネル２０よりも面積が小さいことが好ましい。
【００３９】
図１、図２及び図５から確認することができるように、第１パネル１０と第２パネル２０との間に配列・軸設されたスプールＳ配置空間部３０を保持する連結部４０は、基本的に、第１パネルと第２パネルとを連結し、釣り竿装着部材Ｍが結合される第１リブ４１を含むが、この第１リブには、釣り竿装着部材Ｍが収容されて接触面積を広めることで結合状態の安定性を高める陥没部４１ａ、及びリベッティングなどの方式で装着部材を締結するための固定孔４１ｂが設けられている。前記第１リブは、肉抜きのために中間に切削通孔が設けられており、２つの分体に分離されている。
【００４０】
また、連結部４０は、補強用の第２リブ４３、または第２リブ４３及び第３リブ４５をさらに含むが、これらのリブは第１リブ４１から離隔している。
第１乃至第３リブは、釣り竿装着部材Ｍが備えられた下部側に偏っており、上部は相対的に釣り糸のスプールＳからの繰り出しまたはスプールへの巻き取り空間を確保するように開放された構造を持つ。
【００４１】
さらに、フレームＦ加工の際に手のひらなどの手その他の身体部位に接触する外面は、なるべく曲面を有することが好ましく、特に角部位は面取り（ｃｈａｍｆｅｒ）加工を介して外面をなめらかに製造することが好ましい。このため、フレーム製造の際にアルミニウムまたはアルミニウム合金などの金属塊（棒状塊など）などを切削加工するが、その工法としては旋盤加工とフライス加工がある。
【００４２】
旋盤加工は、工作物が回転し、切削工具の移動を介して加工するので、チャックなどに固定されて回転する加工物の外面を対称となるように円形加工することに適し、相対的に加工費が安価である。
これに比べて、フライス加工（ｍｉｌｌｉｎｇ）は、工作物を固定した状態で切削工具の回転及び移動を介して加工するので、直線及び曲線形状の加工が可能であり、相対的に加工時間がかかり、加工費が高価である。
【００４３】
従来の一般の釣り用リールフレームにおいても、パーム（ｐａｌｍ）サイド第１パネル１０及びギア（ｇｅａｒ）サイド第２パネル２０の外側エッジ加工部、すなわち外面取り部１３、２３の形成のために旋盤加工することは大きな問題がなかった。しかし、空間部３０に接する第１パネル１０及び第２パネル２０の内側エッジ加工部、すなわち内面取り部１１、２１は、工作物の回転時に連結部４０を構成する各リブ４１、４３、４５に起因する干渉によって旋盤加工が不可能であって、いちいちフライス加工を行わなければならない部位に該当する。
【００４４】
これを解決するために、本発明のフレームＦでは、各リブ４１、４３、４５の形状が最終的にボディＢと該ボディの両側の折曲端部ｂからなり、この折曲端部が第１及び第２パネルの内側に連結されて空間部３０を保持する構造となるように構成した。
したがって、金属塊（棒状塊など）をまず旋盤加工して全体的な輪郭、特に設計形状に合わせて第１及び第２パネル１０、２０の内外面取り部１１、２１、１３、２３を形成し、また、連結部を構成する各リブ４１、４３、４５の外面形状（すなわち、内面取り部１１、２１の形成のための旋盤加工用切削工具チップの進入を保障するリセスｒまで形成する形状であって、最終的にリセスｒは各リブのボディＢの両側の折曲端部ｂの外側を構成し、リセスｒを挟んで第１及び第２パネル１０、２０は内面取り部１１、２１が形成されて内外全体的に曲面形状を持つ）まで形成する。
【００４５】
続いて、自体的に回転及び移動するフライス加工の切削工具を用いて空間部３０を形成し、各リブ４１、４３、４５が別々に分離された形で加工されるようにして、各リブの空間部に接する面を加工する。
【００４６】
このようにスプールＳの設置方向と平行な方向に加工回転軸が構成されるように、旋盤のチャックに材料（金属塊（棒状塊など）など）たる工作物を固定し、回転しながら旋盤加工用切削工具を移動させて、第１及び第２パネル１０、２０の内外面取り部１１、２１、１３、２３を含む全体外郭形状を、加工回転軸を中心に円形をなす形状に１次的に旋盤加工し、
以後、１次旋盤加工時の加工回転軸に対して交差軸方向または食い違い軸方向に回転及び移動するフライス加工の切削工具を用いて空間部３０と該空間部に接する第１及び第２パネル１０、２０の内側面及び各リブ４１、４３、４５の接面を２次的にフライス加工して本発明のフレームＦを完成する。
【００４７】
様々な方向から観察したフレームを示す図６、図７及び図８では、従来の釣り用リールの構造でフライス加工するしかなかったが、本発明の技術によって旋盤加工で加工された主要部位、すなわち内面取り部１１、２１を格子柄で示して現出しており、主にこの内面取り部に隣接し、第１乃至第３リブ４１、４３、４５の側面及び第１リブ４１の陥没部４１ａ及び固定孔４１ｂの周りがフライス加工で形成されることを斜線柄で示して現出している。
【００４８】
もちろん、第１及び第２パネルが空間部３０に接する面（旋盤加工の際にチャックに把持された工作物が加工回転軸を中心に回転する状態で各リブの折曲端部ｂの外面、すなわちリセスｒが形成されるように、折曲端部ｂと第１及び第２パネルとが接する部分が共通に接する仮想の円の内部に位置した面）、および各リブの内面がフライス加工によって形成されるが、この部位は、便宜上現出しなかった。
【００４９】
第１及び第２パネル１０、２０の内外面取り部１１、２１、１３、２３の旋盤加工による生産性向上効果やコスト節減効果の他にも、工作物を回転させながら旋盤加工の切削工具を移動、接触させて円形切削加工するので、同心度が向上して高品質の曲面度及び優れた表面質感を得ることができる。さらに、フライス加工まで経た最終フレームＦにおけるリブの折曲端部ｂ、すなわちリセスｒにより、釣り用リールＲにおけるパーム（ｐａｌｍ）サイド第１パネル１０に対するグリップ感及び把持安定性まで増大する。
【００５０】
以上の説明において、ベイトリール、トローリングリール、ドラッグパワー調節、スプールのブレーキパワー調節構造などに関連した通常の公知の技術は省略されているが、当業者であれば容易にこれを推測及び推論して再現することができる。
以上、添付図面を参照して、特定の形状及び構造を有する釣り用リール及びフレームを中心に説明したが、本発明は、当業者によって様々な修正、変更及び置換が可能であり、それらの修正、変更及び置換も本発明の保護範囲に属するものと解釈されるべきである。
【符号の説明】
【００５１】
Ｒ          釣り用リール
Ｆ          フレーム
Ｓ          スプール
Ｈ          ハンドル
Ｍ          釣り竿装着部材
Ｌ          ロック部
Ｌ１        スナップボタン
Ｌ２        ロックギア
Ｌ３        ロック突起
１０、２０  パネル
１１、２１  内面取り部
１３、２３  外面取り部
３０        空間部
４０        連結部
４１、４３、４５    リブ
Ｂ          ボディ
ｂ          折曲端部
ｒ          リセス
【図１】
2016082973.tif 000003
【図２】
2016082973.tif 000004
【図３】
2016082973.tif 000005
【図４】
2016082973.tif 000006
【図５】
2016082973.tif 000007
【図６】
2016082973.tif 000008
【図７】
2016082973.tif 000009
【図８】
2016082973.tif 000010